(57)【要約】【課題】情報通信機械室の局所空調用として好適な空調機及びその運転方法を提供する。【解決手段】サーモオンの状態（Ａ領域）において、サーモオフ温度（Ｔ０−ΔＴ）に至ったか否かが判定される（Ｓ１０２）。該当するときは（同図Ｂ）、設定温度をＴ０より低い暫定設定温度Ｔ１（例えば１５℃）にシフトする（Ｓ１０３）。その後、暫定設定温度により圧縮機のＯＮ／ＯＦＦ制御運転が継続され、その間、サーモオン温度（Ｔ１＋ΔＴ）に至ったか否かが判定される（Ｓ１０４）。該当するときは（同図Ｃ）、タイマーカウントが開始される（Ｓ１０５）。タイマーカウント中は、サーモオン状態継続の有無が判定される（Ｓ１０６）。この状態が所定時間（例えば３０分間）以上継続（同図Ｄ）するときは、安定した熱負荷が存在すると判断され、通常設定温度による制御（Ｓ１０１）に戻る。【選択図】図４
2010002069.tif 000002
【特許請求の範囲】
【請求項１】
情報通信機械室内に収容される一又は複数のラックを、一又は複数の局所空調機により冷却するラック空調システムにおける局所空調機の運転方法であって、
目標吹き出し温度に基づいて、圧縮機の周波数制御又はＯＮ／ＯＦＦ制御を行うものであり、該目標吹き出し温度の設定について、
サーモＯＦＦ条件に至るまでは、通常設定温度（Ｔ０）とし、
サーモＯＦＦ条件に至ったときは、通常設定温度（Ｔ０）より低く、かつ、オーバーシュートを考慮しても、制御対象空間の温度が許容上限温度を超えることのない暫定設定温度（Ｔ１）に変更し、
その後、所定の解除条件に至ったときは、再度、通常設定温度（Ｔ０）に戻す、
ことを特徴とする局所空調機の運転方法。
【請求項２】
前記所定の解除条件が、サーモＯＮ条件に至った後、サーモＯＦＦすることなく一定時間経過したとき、であることを特徴とする請求項１に記載の局所空調機の運転方法。
【請求項３】
前記所定の解除条件が、サーモＯＮ条件に至った後、圧縮機周波数が所定値以上となったとき、であることを特徴とする請求項１に記載の局所空調機の運転方法。
【請求項４】
前記所定の解除条件が、吸込み温度が前記通常設定温度（Ｔ０）以下になった後、一定時間経過したとき、であることを特徴とする請求項１に記載の局所空調機の運転方法。
【請求項５】
請求項４において、吸込み温度が前記通常設定温度（Ｔ０）より高いときは、前記暫定設定温度（Ｔ１）をさらに一定温度低く設定することを特徴とする局所空調機の運転方法。
【請求項６】
局所空調機の吹き出し温度と制御対象空間温度に基づいてラック吸込み空気温度（Ｔｓ）を演算し、Ｔｓが前記許容上限温度を超えないように前記暫定設定温度（Ｔ１）を設定することを特徴とする請求項１乃至５に記載の局所空調機の運転方法。
【発明の詳細な説明】
【技術分野】
【０００１】
本発明は、空調機及びその運転方法に係り、特に情報通信機械室の局所空調用として好適な空調機及びその運転方法に関する。
【背景技術】
【０００２】
近年、社会のＩＴ化の進展に伴い、情報通信機器の高速化、大容量化、高密度化が急速に進んでいる。これらの機器は、米国ＩＥＡ規格に準ずる１９インチサーバラックに格納され、情報通信機械室（データセンタ）に収容されるのが一般的である。サーバラックは前面から冷気を吸込み、上面又は背面から排気するタイプが多く、各ラックは同方向を向けて横一列に配置される。機械室内には、このようなラック列が複数列、隣接する列の吸気面と吸気面、排気面と排気面とを対向させて配置される。ここに、吸気面に挟まれた通路は、二重床から冷気が供給されることからコールドアイルと呼ばれる。これに対し排気面に挟まれた通路は、ラックからの排気で温度が上がるためホットアイルと呼ばれる。
【０００３】
この場合、二重床からの冷気供給のみで室全体を均一に空調する従来の方式（アンビエント空調方式）では、ラックからの発熱の偏在によりコールドアイルに局所的な高温エリアが生じ、情報通信機器・装置の高温障害発生という問題が生じる。このような問題を解消すべく、局所冷却のためにコールドアイル空間に空調機を設置する技術が提案されている（例えば、特許文献１）。
【０００４】
図１１は、この方式によるラック空調システム１００を示すものであり、機械室１０１内のラック列１０４ａ、１０４ｂ間に形成されるコールドアイル１０５の上方に局所空調機１０２を設置する。これにより各ラックは、アンビエント空調機１０７により二重床空間１０６を介して供給される冷気、及び、局所空調機１０２により上方から供給される冷気により冷却されることになる。
【特許文献１】特開２００３−１６６７２９号公報
【発明の開示】
【発明が解決しようとする課題】
【０００５】
情報通信機械室の空調システムにおいては、コールドアイル空間に供給する風量とラックが吸い込む風量の総和とを常にバランスさせておく必要がある。従って、局所空調機がサーモＯＦＦの状態であっても送風ファンを停止することはできない。このためサーモＯＦＦ中にあっては、局所空調機はホットアイル側の高温排気を吸い込んで直接吹き出すことになるため、コールドアイル側温度が急激に上昇し、情報通信機器・装置の許容上限温度を逸脱する恐れがある。
一般に、吹き出し温度の制御は圧縮機のインバータ制御（周波数制御）によりなされるが、圧縮機の構造上、インバータによる容量制御可能な範囲には限界がある。図１０は、圧縮機周波数と能力の関係を示し、定格に対し概ね２５〜４０％程度が下限値である。これより小さい熱負荷のときは、設定温度Ｔに対して上下にディファレンシャル（動作すきま）ΔＴを設けて、圧縮機をＯＮ／ＯＦＦ運転させる制御になる。この場合、サーモＯＦＦ後再びサーモＯＮ条件が成立し、圧縮機の運転を開始しても、検出遅れや熱容量による影響などによりによりさらに温度が上昇（オーバーシュート）し、許容上限温度を超えることもあり得る。従って、コールドアイル空間を常に許容上限温度内に維持するためには、ΔＴを可能な限り小さく設定する必要がある。
【０００６】
しかしながら、ΔＴを小さくすると頻繁な起動停止の繰り返しを招くこととなり、圧縮機の寿命を縮めることが懸念される。また、圧縮機のインバータ制御特有の起動前制御や、周波数の増大時間遅れもあるので、ディファレンシャルの縮小のみでは問題解消は困難である。
一方、レヒート機能を搭載した空調機を用いて、部分負荷下限値を下回る場合に圧縮機を運転停止させることなく下限値で維持し、吹き出し温度の過剰低下を防止する技術も公知である。しかし、本来の装置冷却とは別にレヒートのためのエネルギーが必要となるだけでなく、空調機自体の構造も複雑になり、コストアップ要因となるという問題がある。
本発明は、このような問題を解決するためのものであって、アンビエント空調と局所空調を併用する情報通信機械室における継続的な送風運転が必要な空調システムにおいて、低熱負荷時においても圧縮機を頻繁に発停させることなく、また、装置冷却目的以外にエネルギーを消費することなく、コールドアイル空間の許容上限温度を維持可能とする空調機を提供するものである。
【課題を解決するための手段】
【０００７】
本発明は以下の内容をその要旨とする。すなわち、本発明に係る局所空調機の運転方法は、
（１）情報通信機械室内に収容される一又は複数のラックを、一又は複数の局所空調機により冷却するラック空調システムにおける局所空調機の運転方法であって、目標吹き出し温度に基づいて、圧縮機の周波数制御又はＯＮ／ＯＦＦ制御を行うものであり、該目標吹き出し温度の設定について、サーモＯＦＦ条件に至るまでは通常設定温度（Ｔ０）とし、サーモＯＦＦ条件に至ったときは、通常設定温度（Ｔ０）より低く、かつ、オーバーシュートを考慮しても、制御対象空間の温度が許容上限温度を超えない暫定設定温度（Ｔ１）に変更し、その後、「所定の解除条件」に至ったときは、再度、通常設定温度（Ｔ０）に戻す、ことを特徴とする。
（２）「所定の解除条件」が、サーモＯＮ条件に至った後、サーモＯＦＦすることなく一定時間経過したとき、であることを特徴とする。
（３）上記（１）の発明において、「所定の解除条件」が、サーモＯＮ条件に至った後、圧縮機周波数が所定値以上となったとき、であることを特徴とする。
（４）上記（１）の発明において、「所定の解除条件」が、吸込み温度が前記通常設定温度（Ｔ０）以下になった後、一定時間経過したとき、であることを特徴とする。
（５）上記（４）の発明において、吸込み温度が前記通常設定温度（Ｔ０）より高いときは、暫定設定温度（Ｔ１）をさらに一定温度低く設定することを特徴とする。
（６）上記各発明において、局所空調機の吹き出し温度と制御対象空間温度に基づいてラック吸込み空気温度（Ｔｓ）を演算し、Ｔｓが許容上限温度を超えないように暫定設定温度（Ｔ１）を設定することを特徴とする。
【発明の効果】
【０００８】
本発明によれば、低熱負荷時において圧縮機のサーモＯＮ/ＯＦＦが必要になった場合であっても、圧縮機を頻繁に発停させることなく、かつ、装置冷却目的以外にエネルギーを消費することなく、コールドアイル空間を常に許容上限温度内に維持できる。これにより情報通信機器・装置の高温障害発生を回避することができる。
【発明を実施するための最良の形態】
【０００９】
以下、本発明に係る空調機の実施形態について、図１乃至８を参照してさらに詳細に説明する。重複説明を避けるため、各図において同一構成には同一符号を用いて示している。なお、本発明の範囲は特許請求の範囲記載のものであって、以下の実施形態に限定されないことはいうまでもない。
（第一の実施形態）
図１は、本発明の一実施形態に係る局所空調機２０を用いた空調システム１の断面構成を示す図である。図２は、空調システム１の平面構成を示す図である。図３は、低熱負荷時における空調機２０の吹き出し温度設定制御フローを示す図である。図４は、運転制御中の吹き出し温度変化を示す図である。
【００１０】
図１、２を参照して、空調システム１は、情報通信機械室５内に収容され、ラック列３を構成するラック２を、アンビエント空調機である空調機４及び局所空調機である空調機２０により冷却するシステムである。
アンビエント空調機である空調機４は、蒸発器４ｅ及び送風機４ｃを備えた室内ユニット４ａ、圧縮機、凝縮器（いずれも不図示）等を主要構成とする室外ユニット４ｂ、及びこれらを接続する冷媒配管４ｄを備えている。かかる構成により、冷凍サイクル運転により発生させた冷熱を、室内ユニット４ａに導入する室内空気と熱交換させて冷却し、送風機４ｃにより機械室内に供給する。
【００１１】
機械室５内部は、床パネル５ｄ及び天井パネル５ｅにより３つの空間に区画されており、床パネル５ｄの下部には二重床空間５ｃが、天井パネル５ｅの上部には天井空間５ｂが形成されている。空調機４の室内ユニット４ａと二重床空間５ｃとは往き側ダクト７ａを介して結ばれている。また、天井空間５ｂと室内ユニット４ａとは、戻り側ダクト７ｂを介して結ばれている。
ラック列３は、横一列に並んだ同一モジュールの複数のラック２により形成されている。ラック２には、複数のＩＣＴ機器２ａ又は単体のＩＣＴ機器（図示せず）が格納されており、各ＩＣＴ機器から発生する熱は各機器が搭載する冷却ファン（図示せず）により、前面から吸気した空気とともに背面に排気される。これにより、ラック全体として前面から冷気を吸込み、背面から排気するように構成されている。
【００１２】
各ラック２は、隣接する列の吸気面と吸気面、排気面と排気面が対向するように配置されており、これにより、吸気面側にはコールドアイル６ａが、排気面側にはホットアイル６ｂが形成されている。
各ラック列３において、内部発熱の大きなＩＣＴ機器を格納するラック近傍には局所空調機として空調機２０が配置されている。空調機２０は各ラックと同一モジュールで、かつ、吸排気の方向がラック２とは逆向きに置かれている。すなわち、ホットアイル空間の高温排気を吸込み、コールドアイル側に冷却空気を吹き出すように配置されている。さらに、コールドアイル６ａ床面の一部は、穴あきパネル５ｆにより構成されており、空調機４から送られる冷気をコールドアイル空間に供給可能に構成されている。
各ラック列３の一端側には、列内ラックへの電力供給用の配電盤ユニット（ＰＤＵ）が配設されている。
【００１３】
空調機２０は、室内機２０ａと、室外機２０ｂと、これらを接続する冷媒配管２０ｃを備えている。室内機２０ａは、蒸発器２３、送風ファン２４、制御部２７を主要構成として備えている。送風ファン２４の出口側には温度センサＳ１が配設されており、吹き出し温度を計測して制御部２７に出力するように構成されている。
【００１４】
ラック空調システム１は以上のように構成されており、次に、定常運転時における各ラック２の冷却方法について説明する。空調機４に導入される室内空気は蒸発器４ｅにおいて熱交換して冷気となり、送風機４ｃによって往き側ダクト７ａを介して二重床空間５ｃに送出される。冷気は、穴あきパネル５ｆを通過して、コールドアイル６ａに供給される。さらに各ラックに導入されて、サーバ２ａ冷却後、高温排気となってホットアイル６ｂに排出される。高温排気の一部は、そのままホットアイル６ｂを上昇して、天井吸込口５ｈから天井空間５ｂに導かれ、戻り側ダクト７ｂを介して空調機４に戻される。また、高温排気の一部は、排気吸込口２５を介して空調機２０に取り込まれ、機内の蒸発器２３で冷却されて冷気となり、送風ファン２４によってコールドアイル６ａに吹き出される。ここで、空調機４からの冷気と混合されて、上述のように各ラックに吸い込まれる。以上のような室内空気の循環により、各ラックの冷却が行われる。
【００１５】
次に図３、４をも参照して、空調機２０の低負荷時における吹き出し温度設定の制御フローについて説明する。なお、以下の制御は、各空調機の制御部２７の指令により行われる。熱負荷が一定値以上のときは、空調機２０は通常設定温度Ｔ０（例えば２０℃）により周波数制御運転される（Ｓ１０１）。この場合、圧縮機の部分負荷下限値に至るまではＰＩＤ制御が実施される。その後、圧縮機の運転が部分負荷下限値に抑制されてもなお、必要とされる冷房負荷以上の能力を発揮したサーモオンの状態（図４においてＡ領域）において、サーモオフ温度（Ｔ０−ΔＴ）に至ったか否かが判定される（Ｓ１０２）。これに該当するときは（同図Ｂ）、設定温度をＴ０より低い暫定設定温度Ｔ１（例えば１５℃）にシフトする（Ｓ１０３）。なお、Ｔ１は、サーモオン温度（Ｔ１＋ΔＴ）以上にオーバーシュートしても、ラック吸込み温度が許容上限温度Ｔｘ以下となるように設定されている。
【００１６】
その後、暫定設定温度により圧縮機のＯＮ／ＯＦＦ制御運転が継続され、その間、サーモオン温度（Ｔ１＋ΔＴ）に至ったか否かが判定される（Ｓ１０４）。これに該当するときは（同図Ｃ）、タイマーカウントが開始される（Ｓ１０５）。タイマーカウント中は、サーモオン状態継続の有無が判定される（Ｓ１０６）。該当するときは、機械室内の熱負荷が変化したため、空調機２０の圧縮機が最低周波数以上で継続運転されていることを意味する。この状態が所定時間（例えば３０分間）以上継続（同図Ｄ）するときは（Ｓ１０７においてＹＥＳ）、安定した熱負荷が存在すると判断され、暫定設定温度による制御が解除されて（Ｓ１０８）、通常設定温度による制御（Ｓ１０１）に戻る。なお、Ｓ１０４においてサーモオン温度に至っていないとき、及びＳ１０７において所定時間に達していないときは、タイマーリセットされ（Ｓ１０９）、Ｓ１０４に戻って上記ステップを繰り返す。
【００１７】
本実施形態は、暫定設定温度で継続的に運転することによるデメリット（通常設定温度より低温環境で、居住性が悪く、省エネに反する）を回避することを目的としている。すなわち、暫定設定温度で、圧縮機のサーモＯＮ/ＯＦＦを繰り返している状態で通常設定温度に戻せば、サーモＯＮ/ＯＦＦの繰り返しによるオーバーシュートが生じ、許容上限温度を逸脱するおそれがある。解除実施の判断は、サーモＯＮ/ＯＦＦを繰り返さない、すなわち、圧縮機のインバータ最低周波数での継続的な運転を要求するまで、熱負荷が上昇したことを検出する必要がある。本実施形態では、この検出を圧縮機が継続して一定時間、最低周波数以上で運転を継続したことにより、判断するものである。
なお、本実施形態ではコールドアイルとホットアイルを開放空間とする形態としたが、一方を密閉空間（アイルキャッピング）とする形態であってもよい。
【００１８】
（第二の実施形態）
次に、本発明の他の実施形態について説明する。本実施形態は、暫定設定温度制御から通常設定温度制御への復帰判定を、上述の実施形態のようにサーモオン温度到達後の経過時間に依るのではなく、圧縮機の周波数値に基づいて行うものである。本実施形態の構成は上述の実施形態と同一であるので、図示及び重複説明を省略する。
【００１９】
図５は、本実施形態の制御フローを示す図である。Ｓ２０１〜Ｓ２０３は上述の実施形態におけるＳ１０１〜Ｓ１０３と同一である。その後、サーモオン温度（Ｔ１＋ΔＴ）となるか否かが判定される（Ｓ２０４）。これに該当するときは、次に圧縮機周波数が所定値（例えば４０Ｈｚ）以上となったか否かが判定される（Ｓ２０５）。この周波数未満のときは（Ｓ２０５においてＮＯ）、熱負荷が依然小さいものとして最低周波数で運転される。周波数が所定値以上に増加したときは、熱負荷が大きくなったものとして暫定設定温度制御が解除され（Ｓ２０６）、通常設定温度制御に復帰する（Ｓ２０１）。
【００２０】
（第三の実施形態）
さらに、本発明の他の実施形態について説明する。本実施形態は、通常設定温度への復帰判定を吸込み温度に基づいて行うものである。
図６は、本実施形態に係るラック空調システム３０の断面構成を示す図である。図７は、本実施形態の制御フローを示す図である。
【００２１】
図６を参照して、ラック空調システム３０の構成が上述のラック空調システム１と異なる点は、空調機２０の室内機２０ａが吹き出し温度センサＳ１に加え、吸込み温度センサＳ２をさらに備えており、吸込み温度を計測して制御部２７に出力するように構成されていることである。その他の構成は上述の実施形態と同一であるので、重複説明を省略する。
次に、図７をも参照して、室内機２０ａの低負荷時における吹き出し温度設定の制御フローについて説明する。Ｓ３０１〜Ｓ３０３は上述の各実施形態の制御と同一である。その後、一定時間運転を継続した後（Ｓ３０４）、吸込み温度（Ｔｓ）が通常設定温度（Ｔ０）以下になったか否かが判定される（Ｓ３０５）。これに該当するときは、暫定設定温度が解除され（Ｓ３０６）、通常制御運転に戻される（Ｓ３０１）。
Ｓ３０５においてＮＯ、すなわち一定時間運転継続後も依然としてＴｓ＞Ｔ０の状態が継続するときは、暫定設定温度をさらに所定温度（例えば１℃）下げる（Ｓ３０７）。これによりホットアイル側温度がさらに低下するため、ラック吸込み温度の低下を促進させることができる。その後、Ｓ３０４に戻って、再度吸込み温度の判定が行われる。
【００２２】
（第四の実施形態）
さらに、本発明の他の実施形態について説明する。本実施形態は、アンビエント空調機及び局所空調機から供給される冷気が混合してラックに吸い込まれることから、混合空気温度が許容上限温度を超えないように、局所空調機の暫定（吹き出し）設定温度（Ｔ１）を設定するものである。
図８は、本実施形態に係るラック空調システム４０の断面構成を示す図である。図９は、制御対象空間Ｒ９に着目した熱・風量バランスを示す図である。
図８を参照して、ラック空調システム４０は局所空調機41-1〜41-9を備えている。コールドアイルには、各局所空調機が分担する制御対象空間Ｒ１〜Ｒ９が定められている。各局所空調機は、その制御対象空間内で熱・風量収支がバランスするように、対象ラックに対して冷気を供給する。その他の構成は上述の実施形態と同一であるので、重複説明を省略する。
【００２３】
図９を参照して、空調機41-9の吹き出し空気（温度Ｔｂ）と、アンビエント空調機４から二重床を介して供給される冷気（温度Ｔａ）が制御対象空間Ｒ９で混合し、温度Ｔｓの冷気となってラック２へ吸い込まれる。吸込み空気温度Ｔｓは近似的に（１）式で示される。
Ｔｓ＝（Ｇａ・Ｔａ＋Ｇｂ・Ｔｂ）／（Ｇａ＋Ｇｂ）・・・・（１）
ここに、Ｇｈ、Ｇｂはそれぞれ空調機４及び空調機41-9からの供給空気量（ｍ３／ｈｒ）である。なお、ラック空調システム４０は高顕熱運転（除湿なし）されているものとし、また制御温度範囲において空気比熱（Ｃｐ）は一定とする。
Ｔｓが許容上限温度Ｔｘ以下となることが必要であるから、
（Ｇａ・Ｔａ＋Ｇｂ・Ｔｂ）／（Ｇａ＋Ｇｂ）≦Ｔｘ
これより、Ｔｂ≦（Ｇａ／Ｇｂ）・（Ｔｘ−Ｔａ）＋Ｔｘ・・・・（２）
従って、（２）式を満足するように暫定設定温度Ｔ１（＝Ｔｂ）を設定すれば、ラックへの吸込み温度が許容上限温度を超えないことになる。
【産業上の利用可能性】
【００２４】
本発明は、熱源、冷媒、空調方式、建築構造等の種類を問わず、局所空調機を用いる空調システムに広く適用可能である。
【図面の簡単な説明】
【００２５】
【図１】第一の実施形態に係るラック空調システム１の断面構成を示す図である。
【図２】空調システム１の平面構成を示す図である。
【図３】低熱負荷時における空調機２０の吹き出し温度設定制御フローを示す図である。
【図４】運転制御中の吹き出し温度変化を示す図である。
【図５】第二の実施形態の吹き出し温度設定制御フローを示す図である。
【図６】第三の実施形態に係るラック空調システム３０の断面構成を示す図である。
【図７】第三の実施形態における吹き出し温度設定制御フローを示す図である。
【図８】第四の実施形態に係るラック空調システム３０の断面構成を示す図である。
【図９】制御対象空間Ｒ９に着目した熱・風量バランスを示す図である。
【図１０】圧縮機周波数と能力の関係を示す図である。
【図１１】従来のラック空調システム１００の構成を示す図である。
【符号の説明】
【００２６】
１、３０、４０・・・・ラック空調システム
２・・・・ラック
３・・・・ラック列
４・・・・アンビエント空調機
５・・・・情報通信機械室
５ｂ・・・天井空間
５ｃ・・・二重床空間
５ｄ・・・床パネル
５ｅ・・・天井パネル
５ｆ・・・穴あきパネル
６ａ・・・コールドアイル
６ｂ・・・ホットアイル
２０、４１−１〜４１−９・・・局所空調機
２４・・・送風ファン
２５・・・排気吸込口
Ｒ１〜Ｒ９・・・制御対象空間
Ｓ１、Ｓ２・・・温度センサ
Ｔ０・・・通常設定温度
Ｔ１・・・暫定設定温度
Ｔｘ・・・許容上限温度
【図１】
2010002069.tif 000003
【図２】
2010002069.tif 000004
【図３】
2010002069.tif 000005
【図４】
2010002069.tif 000006
【図５】
2010002069.tif 000007
【図６】
2010002069.tif 000008
【図７】
2010002069.tif 000009
【図８】
2010002069.tif 000010
【図９】
2010002069.tif 000011
【図１０】
2010002069.tif 000012
【図１１】
2010002069.tif 000013